(57)【要約】【課題】布等を被覆する際に年齢性別を問わず簡易にして迅速正確に装着する事を可能にする。【解決手段】布等を被覆する際に内側に布等を挿通する空洞を持ち、外側に複数の釣針状の引っ掛け部が立設された筒状部品と、内側に布等を挿通する空洞を有し、外側に複数の環状の受け部が立設された筒状部品から成る頭部を覆うものの止め具を設け布等の両端にそれぞれ挿通し自在にスライドさせ結束状態にし締結する。【選択図】      図４
2004225211.tif 000002
【特許請求の範囲】
【請求項１】
内側に布等を挿通する空洞を持ち、外側に複数の釣針状の引っ掛け部が立設された筒状部品と、内側に布等を挿通する空洞を有し、外側に複数の環状の受け部が立設された筒状部品とから成る布等の頭部を覆うものの止め具。
【発明の詳細な説明】
【０００１】
【発明が属する技術分野】
本発明は頭部に被覆する際の布等を体裁よく短時間で結束状態にした後締結するのに用いる頭部を覆うものの止め具に関するものである。
【０００２】
【従来の技術】
従来の頭部を覆うものの止め具は、頭部に被覆する際に布等の両端は連設された一対の止め具に挿通するものであった。（例えば、特許文献１参照）
【０００３】
【特許文献１】
実開昭６３−０２５００８号公報    （第２−６頁、第１−７図）
【０００４】
【発明が解決しょうとする課題】
従来では頭部に布等を被覆して結束状態にする際に、緩み、ほどけ等の防止又一般に結ぶ、後ろ手にまわす等の所作が比較的困難な幼児や高齢者等においては体裁よく結束状態にし締結することは容易に出来ないし、又上記した従来の止め具を用いても後頭部に被覆する際の布等の両端を体裁よく結束状態にして締結するには相応に時間と労力を伴う必要があった。
【０００５】
本発明は、布等を被覆して結束状態にし締結する際に緩み、ほどけ等の防止が出来る頭部を覆うものの止め具を提供することを目的としており、更に幼児から高齢者に至るまで短時間で容易に体裁よく結束状態にし締結できる頭部を覆うものの止め具を提供することを目的としている。
【０００６】
【課題を解決するための手段】
本発明は、前記目的を可能にする為内側に布等を挿通する空洞を持ち、外側に複数の釣針状の引っ掛け部が立設された筒状部品と、内側に布等を挿通する空洞を有し、外側に複数の環状の受け部が立設された筒状部品とから成る布等の頭部を覆うものの止め具であって、一対の筒状部品の外側を相互に接触させることにより結束することなく布等を係止することが出来るのである。
【０００７】
【発明の実施の形態】
本発明の実施の形態を実施例に基づき図面を参照して説明する。図１、図２は本発明の実施例の斜視図及び、正面図である。筒状部品１は内側に布等を挿通する空洞２を持ち外側に複数の釣針状の引っ掛け部３が立設されている。筒状部品４は内側に布等を挿通する空洞５を持ち外側に複数の環状の受け部６が立設されている。
【０００８】
例えば広げた場合長い方を長辺とし短い方を短辺として、長辺の長さが８５ｃｍと両方の短辺の長さが５８ｃｍの三角巾に使用すると仮定すれば、筒状部品１、４の直径は１３ｍｍ長さは１８ｍｍ程度に形成するのが好ましい。又筒状部品１、４の内側は布等を挿通する際に表面に若干の摩擦抵抗を有するナイロン等で加工された材質が好ましい。ナイロン等で加工された材質であれば柔軟性と弾力性及び、軽量感も期待でき配色も多様に出来る。
外側に複数の釣針状の引っ掛け部３が立設された筒状部品１と、外側に複数の環状の受け部６が立設された筒状部品６を作成する材料の例としては表面を接触させることで係止具として使用されている一対の雄部と雌部を持つマジックテープ（登録商標）を用いることが好ましい。そして、マジックテープ（登録商標）を筒状に形成するにはマジックテープ（登録商標）を幅１８ｍｍ、長さ４２ｍｍ程度に断裁し、筒状にして若干重なった部分を糸等で縫い合わせると良い。
【０００９】
次に本発明の止め具を三角巾に使用する手順を説明する。実施例とした三角巾７は広げた長いほうを長辺、短いほうを短辺とし長辺の両端をそれぞれ左先端部８、右先端部９とすると図３に示す様に筒状部品１の空洞２に三角巾７の長辺の左先端部８を挿通し、筒状部品４に長辺の右先端部９を挿通させ三角巾７の先端部８、９を若干スライドして絞る。
【００１０】
そして図４に示す様に頭部に被覆した三角巾７が体裁よく納まる様に筒状部品１と筒状部品４の外側を相互に接触させることで係止して結束状態にして締結した。尚とめ具の接触角度は問わない。
【００１１】
【発明の効果】
以上、説明したように構成されているので以下に記載される様な効果が示される。すなわち内側に布等を挿通する空洞を持ち、外側に複数の釣針状の引っ掛け部が立設された筒状部品と、内側に布等を挿通する空洞を有し、外側に複数の環状の受け部が立設された一対の筒状部品を取り付けるので、筒状部品を相互に接触させるだけで素早く着脱出来る。筒状で有ることで持ちやすい。
【００１２】
内側に布等を挿通する空洞を持った一対の筒状部品をスライドさせることで布等と頭部の間に余裕を持たせ、自在に調整できフィット感を創り出す事が出来る。
【００１３】
内側に布等を挿通させる一対の筒状部品を布等に貼付しない事で止め具の挿通が容易で布等に余分な傷や汚れ等を付ける恐れがなく、布等だけ洗濯する事も可能である。
【００１４】
外側に複数の釣針状の引っ掛け部が立設された筒状部品と、外側に複数の環状の受け部が立設された一対の筒状部品で構成されているので、結ぶ所作が困難な幼児、高齢者等でも安全に介錯を得ずとも行動が起こせ同時に自立意識の向上も伴う。
【００１５】
外側に複数の釣針状の引っ掛け部が立設された筒状部品と、外側に複数の環状の受け部が立設された筒状部品で構成されているので締結すると簡単に脱落することがなく緩みの原因にならず、又片方のみ脱落して紛失するという恐れもない。
【図面の簡単な説明】
【図１】頭部を覆うものの一対の止め具の斜視図である。
【図２】頭部を覆うものの一対の止め具の正面図である。
【図３】頭部を覆うものの止め具の使用方法を示した説明図である。
【図４】頭部を覆うものの止め具を使用した形態の説明図である。
【符号の説明】
１  内側に布等を挿通する空洞を持ち、外側に複数の釣針状の引っ掛け部が立設された筒状部品
２  空洞
３  釣針状の引っ掛け部
４  内側に布等を挿通する空洞を有し、外側に複数の環状の受け部が立設された筒状部品
５  空洞
６  環状の受け部
７  三角巾
８  三角巾の長辺の左先端部
９  三角巾の長辺の右先端部
【図１】
2004225211.tif 000003
【図２】
2004225211.tif 000004
【図３】
2004225211.tif 000005
【図４】
2004225211.tif 000006
【手続補正書】
【提出日】平成15年1月28日(2003.1.28)
【手続補正１】
【補正対象書類名】明細書
【補正対象項目名】０００８
【補正方法】変更
【補正の内容】
【０００８】
例えば広げた場合長い方を長辺とし短い方を短辺として、長辺の長さが８５ｃｍと両方の短辺の長さが５８ｃｍの三角巾に使用すると仮定すれば、筒状部品１、４の直径は１３ｍｍ、長さは１８ｍｍ程度に形成するのが好ましい。又筒状部品１，４の内側は布等を挿通する際に表面に若干の摩擦抵抗を有するナイロン等で加工された材質が好ましい。ナイロン等で加工された材質であれば柔軟性と弾力性及び、軽量感も期待でき配色も多様に出来る。
外側に複数の釣針状の引っ掛け部３が立設された筒状部品１と、外側に複数の環状の受け部６が立設された筒状部品４を作成する材料の例としては表面を接触させることで係止具として使用されている一対の雄部と雌部を持つマジックテープ（登録商標）を用いることが好ましい。そして、マジックテープ（登録商標）を筒状に形成するにはマジックテープ（登録商標）を幅１８ｍｍ、長さ４２ｍｍ程度に断裁し、筒状にして若干重なった部分を糸等で縫い合わせると良い。


【手続補正２】
【補正対象書類名】明細書
【補正対象項目名】０００９
【補正方法】変更
【補正の内容】
【０００９】
次に本発明の止め具を三角巾に使用する手順を説明する。実施例とした三角巾７は広げた長い方を長辺、短い方を短辺とし長編の両端をそれぞれ左先端部８、右先端部９とすると図３に示す様に筒状部品１の空洞２に三角巾７の長辺の左先端部８を挿通し、筒状部品４の空洞５に三角巾７の長辺の右先端部９を挿通させ三角巾７の先端部８，９を若干スライドして絞る。


【手続補正３】
【補正対象書類名】明細書
【補正対象項目名】００１４
【補正方法】変更
【補正の内容】
【００１４】
外側に複数の釣針状の引っ掛け部が立設された筒状部品と、外側に複数の環状の受け部が立設された筒状部品で構成されているので、結ぶ所作が困難な幼児、高齢者等でも安全に介錯を得ずとも行動が起こせ同時に自立意識の向上も伴う。